(57)【要約】【課題】空調対象空間を設定値に制御できる空調対象空間の温湿度制御方法を提供する。【解決手段】ファンケーシング１１の吸込口に冷却器１４Ｃと風量調整ダンパ１５を設けた空調機１０で、レターンエアＲＡの一部を冷却器１４Ｃに導入すると共に残りを風量調整ダンパ１５に導入し、冷却エアとバイパスエアとを混合してサプライエアＳＡとして空調対象空間に供給して空調対象空間を設定値ＳＰに制御するに際し、設定値ＳＰでの空調対象空間のエアとレターンエアＲＡとの温度偏差ｄＴと露点偏差ｄＤとを求め、設定値ＳＰの露点に対して露点偏差ｄＤを考慮して冷却器１４Ｃのサプライエアの出口露点を決定すると共に決定した出口露点に基づいて冷水供給量を制御し、設定値ＳＰの温度に対して温度偏差ｄＴを考慮してサプライエアＳＡの吹出温度を決定すると共に決定した吹出温度を基にして風量調整ダンパ１５を制御する。【選択図】図３
2016169889.tif 000002
【特許請求の範囲】
【請求項１】
ファンケーシングの吸込口に冷却器と風量調整ダンパを設けて空調機を構成し、空調対象空間からのレターンエアの一部を前記冷却器に導入して冷却すると共に残りを前記風量調整ダンパを介してバイパスし、冷却エアとバイパスエアとを混合してサプライエアとして空調対象空間に供給し、空調対象空間の温度と湿度を設定値に制御するに際して、
前記設定値での空調対象空間のエアとレターンエアとの温度偏差と露点偏差とを求め、設定値の露点に対して前記露点偏差を考慮して前記冷却器のサプライエアの出口露点を決定すると共に決定した出口露点に基づいて冷水供給量を制御し、前記設定値の温度に対して前記温度偏差を考慮してサプライエアの吹出温度を決定すると共に決定した吹出温度を基にして前記風量調整ダンパを制御することを特徴とする空調対象空間の温湿度制御方法。
【請求項２】
前記冷却器のレターンエアの出口露点の制御は、設定値の露点から前記露点偏差を減算した値を出口露点とし、レターンエアが前記出口露点となるように前記冷却器への冷水量を制御する請求項１記載の空調対象空間の温湿度制御方法。
【請求項３】
サプライエアの吹出温度の制御は、設定値の設定温度から前記温度偏差を減算した値を吹出温度とし、前記冷却器でサプライエアが出口露点とされた冷却エアとバイパスエアとの混合エアの温度が吹出温度となるように前記風量調整ダンパでバイパス量を制御する請求項１又は２記載の空調対象空間の温湿度制御方法。
【請求項４】
ファンケーシングの吸込口に冷却器と風量調整ダンパを設けて空調機を構成し、この空調機を空調対象空間に複数台を設置し、各空調機で、空調対象空間からのレターンエアの一部を前記冷却器に導入して冷却すると共に残りを前記風量調整ダンパを介してバイパスし、冷却エアとバイパスエアとを混合してサプライエアとして空調対象空間に供給し、空調対象空間の温度と湿度を設定値に制御するに際して、
前記設定値での空調対象空間のエアと各空調機に導入されるレターンエアとの温度偏差と露点偏差とを空調機毎に求め、設定値の露点に対して前記露点偏差を考慮して各空調機の冷却器のサプライエアの出口露点を決定すると共に決定した出口露点に基づいて各冷却器の冷水供給量を制御し、前記設定値の温度に対して前記温度偏差を考慮して各空調機でのサプライエアの吹出温度を決定すると共に決定した吹出温度を基にして各空調機の風量調整ダンパを制御することを特徴とする空調対象空間の温湿度制御方法。
【請求項５】
各空調機の冷却器のレターンエアの出口露点の制御は、設定値の露点から前記露点偏差を減算した値を出口露点とし、レターンエアが前記出口露点となるように各空調機の冷却器への冷水量を制御する請求項４記載の空調対象空間の温湿度制御方法。
【請求項６】
各空調機のサプライエアの吹出温度の制御は、設定値の設定温度から前記温度偏差を減算した値を吹出温度とし、各空調機の冷却器でサプライエアが出口露点とされた冷却エアとバイパスエアとの混合エアの温度が吹出温度となるように各空調機の風量調整ダンパでバイパス量を制御する請求項４又は５記載の空調対象空間の温湿度制御方法。
【請求項７】
空調対象空間内の各空調機の冷却器に冷水を供給・循環する冷温水供給装置を設け、前記複数台の空調機のうち１つを親機として残りを子機とすると共に親機と子機及び親機と冷温水供給装置とを通信手段を介して相互に接続し、前記親機で、各空調機で冷水供給量の総和を冷温水供給装置に送信し、これに基づいて前記冷温水供給装置での冷水供給量を制御する請求項４〜６記載の空調対象空間の温湿度制御方法。
【発明の詳細な説明】
【技術分野】
【０００１】
本発明は、空調対象空間を設定の温湿度に空調するための空調対象空間の温湿度制御方法に関するものである。
【背景技術】
【０００２】
近年、工場や倉庫、或いは研究施設の空間の温湿度を制御して快適空間を保つニーズが高まっている。
【０００３】
この理由としては、
（１）大量に水を扱う食品水産加工工場、精密機器製造ラインなどでの、カビ、結露、サビ、機器の故障や誤動作対策、
（２）薬品、食品、工業製品などの製造ラインでの装置内や粉体ラインの目詰まり対策、
（３）人（作業者、在席者等）の快適性向上、
（４）保存、保管、環境改善、
（５）品質や歩留まりの向上
につながるメリットがある。
【０００４】
このために、空調対象空間を、例えば、設定温度２６℃、相対湿度５０％に温湿度制御しようとした場合、エアコンによる空調では、空調対象空間を２６℃に制御できても、湿度制御の機能を有していないため、湿度は成り行きになってしまう。
【０００５】
またデシカント空調機は、冷却器と除湿ロータの組み合わせで温湿度制御するものであり、空調対象空間を設定温度２６℃、相対湿度５０％に保つ制御は可能である。しかし、工場内の空調対象空間は膨大であり、デシカントロータによる除湿を行ったのでは、デシカントロータを大型のものにする必要があり、またそのデシカントロータの再生の熱源も必要であり、コストが大となってしまう。
【０００６】
特許文献１では、ファンコイルケーシングに冷却器とバイパスダンパを設置し、レターンエアを冷却器で冷却する際に、レターンエアの一部をバイパスダンパにバイパスさせて、吹出温度を制御することが示されている。
【先行技術文献】
【特許文献】
【０００７】
【特許文献１】特開２００４−１２５３１６号公報
【特許文献２】実用新案登録第２５０６５４３号公報
【発明の概要】
【発明が解決しようとする課題】
【０００８】
しかし、特許文献１では、冷温水の出口温度が所定温度となるように冷却器を通過させる冷温水量を制御し、その上でレターンエアのバイパス量を制御してサプライエアの温度を制御するもので、除湿制御については考慮されていない。
【０００９】
空調対象空間を設定温度と設定湿度に制御するためには、サプライエアの温度と湿度の双方を制御する必要がある。しかし、サプライエアを空調対象空間に供給すると温度と湿度が共に変化するため、双方を同時に制御しながら空調対象空間を設定の温湿度に制御することは困難である。
【００１０】
また上述したように温湿度制御する空調対象空間は、大容積であり、空調対象空間に複数台の空調機を設置し、この各空調機に、チラーなどの冷温水発生装置から冷温水を供給して個々の空調機を制御することになる。しかし空調対象空間には、発熱体があったりして、場所によって各空調機の空調負荷が異なり、これら各空調機を制御して空調対象空間を設定の温湿度に保つのは困難である。
【００１１】
そこで、本発明の目的は、上記課題を解決し、空調対象空間を設定の温湿度に制御できる空調対象空間の温湿度制御方法を提供することにある。
【課題を解決するための手段】
【００１２】
上記目的を達成するために本発明は、ファンケーシングの吸込口に冷却器と風量調整ダンパを設けて空調機を構成し、空調対象空間からのレターンエアの一部を前記冷却器に導入して冷却すると共に残りを前記風量調整ダンパを介してバイパスし、冷却エアとバイパスエアとを混合してサプライエアとして空調対象空間に供給し、空調対象空間の温度と湿度を設定値に制御するに際して、前記設定値での空調対象空間のエアとレターンエアとの温度偏差と露点偏差とを求め、設定値の露点に対して前記露点偏差を考慮して前記冷却器のサプライエアの出口露点を決定すると共に決定した出口露点に基づいて冷水供給量を制御し、前記設定値の温度に対して前記温度偏差を考慮してサプライエアの吹出温度を決定すると共に決定した吹出温度を基にして前記風量調整ダンパを制御することを特徴とする空調対象空間の温湿度制御方法である。
【００１３】
前記冷却器のレターンエアの出口露点の制御は、設定値の露点から前記露点偏差を減算した値を出口露点とし、レターンエアが前記出口露点となるように前記冷却器への冷水量を制御するのが好ましい。
【００１４】
サプライエアの吹出温度の制御は、設定値の設定温度から前記温度偏差を減算した値を吹出温度とし、前記冷却器でサプライエアが出口露点とされた冷却エアとバイパスエアとの混合エアの温度が吹出温度となるように前記風量調整ダンパでバイパス量を制御するのが好ましい。
【００１５】
また本発明は、ファンケーシングの吸込口に冷却器と風量調整ダンパを設けて空調機を構成し、この空調機を空調対象空間に複数台を設置し、各空調機で、空調対象空間からのレターンエアの一部を前記冷却器に導入して冷却すると共に残りを前記風量調整ダンパを介してバイパスし、冷却エアとバイパスエアとを混合してサプライエアとして空調対象空間に供給し、空調対象空間の温度と湿度を設定値に制御するに際して、前記設定値での空調対象空間のエアと各空調機に導入されるレターンエアとの温度偏差と露点偏差とを空調機毎に求め、設定値の露点に対して前記露点偏差を考慮して各空調機の冷却器のサプライエアの出口露点を決定すると共に決定した出口露点に基づいて各冷却器の冷水供給量を制御し、前記設定値の温度に対して前記温度偏差を考慮して各空調機でのサプライエアの吹出温度を決定すると共に決定した吹出温度を基にして各空調機の風量調整ダンパを制御することを特徴とする空調対象空間の温湿度制御方法である。
【００１６】
各空調機の冷却器のレターンエアの出口露点の制御は、設定値の露点から前記露点偏差を減算した値を出口露点とし、レターンエアが前記出口露点となるように各空調機の冷却器への冷水量を制御するのが好ましい。
【００１７】
各空調機のサプライエアの吹出温度の制御は、設定値の設定温度から前記温度偏差を減算した値を吹出温度とし、各空調機の冷却器でサプライエアが出口露点とされた冷却エアとバイパスエアとの混合エアの温度が吹出温度となるように各空調機の風量調整ダンパでバイパス量を制御するのが好ましい。
【００１８】
空調対象空間内の各空調機の冷却器に冷水を供給・循環する冷温水供給装置を設け、前記複数台の空調機のうち１つを親機として残りを子機とすると共に親機と子機及び親機と冷温水供給装置とを通信手段を介して相互に接続し、前記親機で、各空調機で冷水供給量の総和を冷温水供給装置に送信し、これに基づいて前記冷温水供給装置での冷水供給量を制御するのが好ましい。
【発明の効果】
【００１９】
本発明は、空調対象空間の温度と湿度を設定値に制御するに際して、空調対象空間のエアとレターンエアとの温度偏差と露点偏差を求め、設定値とこれら偏差で冷却器での出口露点とサプライエアの吹出温度を制御することで、空調対象空間を設定の温湿度に空調できるという優れた効果を発揮する。
【図面の簡単な説明】
【００２０】
【図１】本発明において、空調対象空間を複数台の空調機で温湿度制御する際の概略図を示す図である。
【図２】本発明において、複数台の空調機と、その各空調機に冷温水を供給する冷温水供給装置とを示す図である。
【図３】本発明において、空調対象空間を冷房時に温湿度制御する空調機の詳細を示す図である。
【図４】本発明において、空調対象空間を暖房時に温湿度制御する空調機の詳細を示す図である。
【図５】本発明において、空調対象空間を空調機で温湿度制御して設定値にする際の制御系のパラメータの設定の例を示し、（ａ）は、冷暖房時のサプライエアの可変制御、（ｂ）は、冷房時の冷却器の出口露点可変制御、（ｃ）は、暖房時のサプライエアの露点可変制御、（ｄ）は、冷暖房時のサプライエアの風量可変制御を説明する図である。
【図６】本発明において、空調対象空間を空調機で温湿度制御して設定値にする際の空気線図でのレターンエア、サプライエアの状態変化を示す図である。
【発明を実施するための形態】
【００２１】
以下、本発明の好適な一実施の形態を添付図面に基づいて詳述する。
【００２２】
先ず図３により、本発明における冷房時の空調機１０を説明する。
【００２３】
ファン１２を有するファンケーシング１１の吸込口１３Ａ、１３Ｂに、冷却器１４Ｃと風量調整ダンパ１５が、それぞれ設けられて空調機１０が構成される。
【００２４】
冷却器１４Ｃには、冷温水供給ライン１７と冷温水排出ライン１８が接続され、冷温水排水ライン１８に接続した流量制御弁１９にて冷水量が制御される。冷温水供給ライン１７と流量制御弁１９の下流側の冷温水排水ライン１８には、冷温水の温度を検出する温度センサＴ１、Ｔ２が設けられ、これら検出値がモニタ２０に入力される。また冷温水供給ライン１７には、流量計Ｆが設けられ、その検出値もモニタ２０に入力される。
【００２５】
冷却器１４Ｃの出口側には、冷却器１４Ｃで冷却された冷却エアの温度と相対湿度を検出する温湿度センサＴＨ（Ｃ）が設けられ、また風量調整ダンパ１５には、レターンエアＲＡの温度と相対湿度を検出する温湿度センサＴＨ（Ｒ）が設けられ、これら温湿度センサＴＨ（Ｃ）、ＴＨ（Ｒ）の検出値が、露点制御装置２１Ｃに入力され、これに基づいて露点制御装置２１Ｃが流量制御弁１９の開度を制御する。
【００２６】
冷温水供給ライン１７には、後述する冷温水供給装置４０（図２参照）からの冷水が供給され、その冷水で、例えば冷温水供給装置４０が、７℃の冷水を供給するチラーであれば、露点制御装置２１Ｃは、７℃の冷水にて冷却器１４Ｃでの出口露点の下限値を１２℃まで冷却するように流量制御弁１９を制御し、冷温水供給装置４０が直膨冷凍機であれば、露点の下限値を５℃まで冷却するように流量制御弁１９を制御するようになっている。
【００２７】
吹出口１６には、サプライエアＳＡの温度と相対湿度を検出する温湿度センサＴＨ（Ｓ）が設けられ、その温湿度センサＴＨ（Ｓ）の検出値が、温度制御装置２２Ｃに入力され、これに基づいて温度制御装置２２Ｃが、ダンパ開度調整器２３を介して風量調整ダンパ１５の開度を制御してバイパスエアと冷却器１４Ｃに導入されるレターンエアＲＡ（Ａ）の混合比を制御する。この風量調整ダンパ１５の開度は、冷却器１４Ｃに導入されるレターンエアＲＡ（Ａ）と風量調整ダンパ１５に導入されるレターンエアＲＡ（Ｂ）を１０とすると、Ａ：Ｂ＝（１〜５）：（９〜５）で、混合比が制御される。
【００２８】
ファン１２は、インバータ装置２４で能力可変に制御され、吹出口１６に設けた風量計Ｑの検出値を基に風量制御装置２５が、インバータ装置２４を介してファン１２の風量を制御する。このファン１２によるサプライエアＳＡの風量は、例えば２０〜１０ｍ3／ｍｉｎの範囲で、二段階或いは段階的に制御される。
【００２９】
この空調機１０での冷房時には、空調対象空間からのレターンエアＲＡの一部が冷却器１４Ｃに導入され、残りが風量調整ダンパ１５に導入され、冷却器１４Ｃで冷却された冷却エアと、風量調整ダンパ１５で風量調整されたバイパスエアとが、ファン１２で混合されてサプライエアＳＡとして空調対象空間に供給・循環されて、空調対象空間の温湿度を設定値ＳＰに空調する。
【００３０】
図４は、空調機１０の暖房時の構成を示したもので、基本的には図３の冷房時の空調機１０の構成と同じであるが、暖房時の空調機１０は、冷却器１４Ｃを加熱器１４Ｈとし、その加熱器１４Ｈの出口側に気化式加湿器２６を設けて構成される。なお、気化式加湿器２６は、図３の冷房用の空調機１０にも設けられているが、冷房時は不要なため図３では省略している。
【００３１】
加熱器１４Ｈには、冷温水供給ライン１７から４０〜５０℃の温水が流量制御弁１９を介して供給され、気化式加湿器２６には、市水供給ライン２７が接続されると共に加湿用弁２８が接続される。
【００３２】
この空調機１０での暖房時には、空調対象空間からのレターンエアＲＡの５０％が加熱器１４Ｈに導入され、残りの５０％が風量調整ダンパ１５に導入され、加熱器１４Ｈで加熱された加熱エアが加湿器２６を通って加湿され、その加湿エアと、風量調整ダンパ１５で風量調整されたバイパスエアとが、ファン１２で混合されてサプライエアＳＡとして空調対象空間に供給・循環されて、空調対象空間の温湿度を設定値ＳＰに空調する。
【００３３】
図１は、工場内などの建屋３０内の空調対象空間３１に空調機１０を設置し、空調機１０で空調対象空間３１を設定値（設定温度と設定湿度）に制御するためのイメージ図を示したものである。
【００３４】
この図では、２台の空調機１０ａ、１０ｂを設置しているが、空調機１０は、１台でも３台以上でもよく空調対象空間３１の容積に合わせて設置される。
【００３５】
図２は、空調機１０と、空調機１０に冷温水を供給する冷温水供給装置４０との接続状態を示したものである。
【００３６】
図２に示すように空調機１０−１〜１０−ｎは、その冷却器又は加熱器が、冷温水を供給・循環する冷温水供給装置４０に冷温水供給ライン１７と冷温水排出ライン１８を介して接続され、冷温水供給ライン１７に冷温水の循環量を可変に制御する循環ポンプ４１が接続される。
【００３７】
この複数台の空調機１０−１〜１０−ｎに、冷温水供給装置４０から循環ポンプ４１にて、冷温水を供給する場合、その冷温水の総量を最適に制御するため、空調機１０−１〜１０−ｎのうち１つ空調機１０−１を親機とし、残りの空調機１０−２〜１０−ｎを子機とすると共に、親機と子機及び親機と冷温水供給装置４０とを、イーサネット（登録商標）などの通信手段４２にて相互に接続し、冷温水供給装置４０と空調機１０−１〜１０−ｎ間で、運転、冷暖房切替、各種設定運転情報などの指令に基づいて全体の制御がなされる。
【００３８】
この際、循環ポンプ４１による冷温水の循環量の制御は、親機の空調機１０−１で、全空調機１０１−１０ｎでの冷水供給量の総和（流量制御弁１９の開度から求まる流量）を冷温水供給装置４０に送信し、これに基づいて、冷温水供給装置４０が循環ポンプ４１の回転数を制御する。
【００３９】
各空調機１０に供給する冷水量は、例えば０〜４０Ｌ／ｍｉｎで可変制御され、循環ポンプ４１は、運転開始時には、最大負荷で運転され、その後、各空調機１０での冷温水要求量が少なくなるにつれて循環量を少なくするよう循環ポンプ４１の回転数を低下させていくが、空調機１０−１〜１０−ｎのうち冷水要求量が最大の空調機１０の流量制御弁１９の開度が９０％にされた状態でも、その９０％開度に見合った冷温水を供給できるように循環ポンプ４１の回転数を制御する。
【００４０】
これら空調機１０で図１に示した空調対象空間３１を設定値（例えば設定温度２６℃と設定相対湿度５０％ＲＨ）に空調する場合について説明する。
【００４１】
冷房時、空調機１０による温湿度を設定値ＳＰに制御する際に、例えば空調対象空間３１に発熱体３２がある場合、発熱体３２に近い側の空調機１０ａでは、空調負荷が高く、サプライエアＳＡが低温で吹き出されても、発熱体３２でレターンエアＲＡは、より高温になって空調機１０ａに戻り、他の空調機１０ｂでは、空調負荷が比較的少ないため、サプライエアＳＡを中温で吹き出しても、レターンエアＲＡは中温で戻ってくることになる。また暖房時では、冷房時と逆に空調機１０ａの空調負荷が低く、空調機１０ｂの空調負荷が高くなる。
【００４２】
そこで本発明においては、冷房時には、温度制御装置２２Ｃ及び露点制御装置２１Ｃは、レターンエアＲＡと設定値ＳＰの温度偏差ｄＴと露点偏差ｄＤを求める。この温度偏差ｄＴは、レターンエアＲＡと設定値ＳＰの顕熱負荷であり、また露点偏差ｄＤはレターンエアＲＡと設定値ＳＰの潜熱負荷となる。
【００４３】
そこで、露点制御装置２１Ｃは、設定値ＳＰに対して露点偏差ｄＤ（潜熱負荷）を考慮して冷却器１４Ｃの出口露点とサプライエアＳＡの吹出温度を決定し、その決定した出口露点を基に流量制御弁１９を制御して冷却器１４Ｃでの冷却量（除湿量）を制御すると共に、温度制御装置２２Ｃは、設定値ＳＰに対して温度偏差ｄＴ（顕熱負荷）を考慮してサプライエアＳＡの吹出温度を決定し、その決定した吹出温度を基に風量調整ダンパ１５の開度を制御するものである。
【００４４】
また、暖房時には、風量調整ダンパ１５のバイパス比率が、ＲＡ（Ａ）：ＲＡ（Ｂ）＝５：５となるように開度を固定したまま運転を行い、温度制御装置２２Ｈ及び露点制御装置２１Ｈは、レターンエアＲＡと設定値ＳＰの温度偏差ｄＴと露点偏差ｄＤを求め、露点制御装置２１Ｈが、設定値ＳＰに対して露点偏差ｄＤを考慮して加湿用弁２８を開閉制御して加湿量を制御し、温度制御装置２２Ｈが、設定値ＳＰに対して温度偏差ｄＴを考慮してサプライエアＳＡの吹出温度を決定し、その決定した吹出温度となるように流量制御弁１９を制御して加熱器１４Ｈでの加熱量を制御する。
【００４５】
この冷暖房時の偏差をパラメータとしたときの温湿度制御を図５によりさらに説明する。
【００４６】
図５（ａ）は、冷暖房時のサプライエアＳＡの吹出温度の可変制御を示したもので、横軸はレターンエアＲＡと設定値ＳＰ温度の偏差（｜ＲＡ−ＳＰ｜温度）、縦軸は設定値ＳＰとサプライエアＳＡ温度の偏差（｜ＳＰ−ＳＡ｜温度）で、両偏差は同じ温度偏差ｄＴとして、サプライエアＳＡの温度を求めるものである。
【００４７】
図５（ａ）において、先ず、｜ＲＡ−ＳＰ｜温度の偏差を求め、その温度偏差をｄＴとして、ｄＴ＝｜ＳＰ−ＳＡ｜温度から、すなわち設定値ＳＴ（設定温度）から温度偏差ｄＴを減算してＳＡ温度（吹出温度）を決定する。
【００４８】
図５（ｂ）は、冷房時の冷却器の出口露点可変制御を示したもので、横軸はレターンエアＲＡと設定値ＳＰ露点の偏差（｜ＲＡ−ＳＰ｜露点）、縦軸は設定値ＳＰと冷却器出口（Ｃ／Ｃ出口）露点の偏差（｜ＳＰ−Ｃ／Ｃ出口｜露点）で、両偏差は同じ露点偏差ｄＴとして、出口露点を求めるものである。
【００４９】
図５（ｂ）において、先ず、｜ＲＡ−ＳＰ｜露点の偏差を求め、その露点偏差ｄＤとして、ｄＤ＝｜ＳＰ−Ｃ／Ｃ出口｜露点から、すなわち設定値ＳＴ（設定露点）から露点偏差ｄＤを減算して出口露点を決定する。
【００５０】
図５（ｃ）は、暖房時のサプライエアＳＡ露点可変制御を示したもので、横軸はレターンエアＲＡと設定値ＳＰ露点の偏差（｜ＲＡ−ＳＰ｜露点）、縦軸は設定値ＳＰとサプライエアＳＡ露点の偏差（｜ＳＰ−ＳＡ｜露点）で、両偏差は同じ露点偏差ｄＴとして、サプライエアＳＡの露点を求めるものである。
【００５１】
この図５（ｃ）では、図５（ａ）の偏差温度ｄＴでサプライ温度ＳＰが決定され、図４で示した加熱器１４Ｈで、設定値ＳＰに偏差温度ｄＴを加算した温度になるように制御するが、この加熱器１４Ｈでの加熱は顕熱分であるため、気化式加湿器２６での加湿による潜熱でサプライエアＳＡの温度が下がる。
【００５２】
そこで、先ず｜ＲＡ−ＳＰ｜露点の偏差を求め、その露点偏差ｄＤとして、ｄＤ＝｜ＳＰ−ＳＡ｜露点となるように加湿量を制御すると共に加熱器１４Ｈで加熱量を制御することで、サプライエアＳＡの温度制御と湿度制御が可能となる。
【００５３】
図５（ｄ）は、冷暖房時のファンの風量制御を示したものである。
【００５４】
この風量制御は、運転開始時から、露点偏差ｄＤ（＝｜ＲＡ−ＳＰ｜露点）が、一定時間任意の値ｄになるまでは、風量大（ＳＰ−Ｈ）で制御し、値ｄ以下（暖房時は値ｄ以上）になったときに、風量小（ＳＰ−Ｌ）に、インバータにて任意の勾配で下げて切り替える。
【００５５】
次に本発明の空調対象空間の温湿度制御方法における冷房時のレターンエアＲＡ、サプライエアＳＡと空調対象空間の空間ＰＶの状態変化を図６の空気線図で説明する。
【００５６】
先ず、設定値ＳＰは、設定温度２６℃、相対湿度５０％ＲＨで、設定値ＳＰでの露点は１５℃、運転開始時の室内（空調対象空間）の温度３３℃、相対湿度６０％ＲＨとする。
【００５７】
運転開始時の空調機に導入されるレターンエアＲＡは、３３℃（露点２４℃）であり、温度偏差ｄＴが、７℃（＝３３℃−２６℃）となり、サプライエアＳＡの吹出温度は、１９℃（＝２６℃−７℃）に決定される。また冷却器の出口温度は、露点偏差ｄＤが、９℃（＝３３℃−２４℃）となり、６℃（＝１５℃−９℃）となる。
【００５８】
この場合、冷温水供給装置の冷水温度は７℃であり、上述したように冷却器の出口露点下限値は１２℃までしか下げられないため、空調機の最大能力である流量制御弁開度９０％で冷水を流して、冷却器で冷却されるレターンエアの出口温度１３℃にし、この状態で、風量調整ダンパでバイパス比率を最大の５０％に調整することで、サプライエアＳＡの吹出温度２３℃で空調対象空間に供給されることで、空間ＰＶのエアは、２８℃、相対湿度７０％ＲＨとなる。
【００５９】
次に、空間ＰＶの温度が下がり、レターンエアＲＡが３０℃（露点２０℃）では、温度偏差ｄＴが４℃、露点偏差ｄＤが５．５℃、出口露点９．５℃、サプライエアＳＡの吹出温度が２２℃となり、空間ＰＶのエアは、２６℃、相対湿度６５％ＲＨとなる。
【００６０】
さらに、レターンエアＲＡが２８．５℃（露点１８℃）では、温度偏差ｄＴが２．５℃、露点偏差ｄＤが３℃、出口露点１２℃、サプライエアＳＡの吹出温度が２３．５℃となり、空間ＰＶのエアは、２６℃、相対湿度６０％ＲＨとなり、この時点で、冷却器１４Ｃでの出口露点の温度制御の下限値（１２℃）に達するため、以後は出口露点の制御が正確に行えることになる。
【００６１】
その後、レターンエアＲＡが２７℃（露点１５．５℃）では、温度偏差ｄＴが１℃、露点偏差ｄＤが０．５℃、出口露点１４．５℃、サプライエアＳＡの吹出温度が２５℃となり、空間ＰＶのエアは、２６℃、相対湿度５３％ＲＨとなり、空間ＰＶを設定値ＳＰに徐々に収束させることが可能となる。
【００６２】
この空間ＰＶの温湿度が設定値ＳＰに収束して行く間に、ファン１２の風量を大から小に徐々に切り替え、また出口露点も設定値ＳＰの露点（１５℃）に近づくため、各空調機１０の流量制御弁１９で制御する冷水量も徐々に少なくなるため、循環ポンプ４１で循環量も下がって行く。この際、モニタ２０は、各流量計Ｆで検出した流量の総和から循環ポンプ４１での冷水循環量を最適に制御する。また冷温水供給装置４０は、モニタ２０からの温度センサＴ１、Ｔ２の検出値から冷水負荷がわかるため、その冷却能力や送水する冷水温度を最適に制御することが可能となる。
【００６３】
以上、本発明では、冷却器１４Ｃと風量調整ダンパ１５で、レターンエアＲＡと設定値ＳＰの温度偏差ｄＴと露点偏差ｄＤを求め、設定値ＳＰに対して温度偏差ｄＴと露点偏差ｄＤとを考慮して冷却器の出口露点とサプライエアＳＡの吹出温度を決定して制御することで、空調対象空間を設定値ＳＰの温湿度に制御することが可能となる。
【００６４】
空調対象空間に複数台の空調機１０を設置して温湿度制御する際に、各空調機１０に導入されるレターンエアＲＡの温度が相違しても、各空調機１０で個々にサプライエアＳＡの吹出温度を制御できるため、空調対象空間の温度分布にムラがあってもその温度分布に応じて温湿度制御が可能である。また、冷水量は、全体負荷に対して、親機空調機１０−１と冷温水供給装置４０とで通信を行って、各空調機１０が要求する冷水量の総和を制御すればよい。
【００６５】
なお、暖房運転時は、冷房運転の温度制御と除湿制御の双方を制御するのと違って、加熱器１４Ｈによる温度制御と気化式加湿器２６での加湿制御であり、これらは独立して制御可能であるため、図５（ａ）と図５（ｃ）のパラメータ制御で容易に設定値ＳＰに温湿度制御できる。
【符号の説明】
【００６６】
１０  空調機
１１  ファンケーシング
１４Ｃ  冷却器
１５  風量調整ダンパ
３１  空調対象空間
ＲＡ  レターンエア
ＳＡ  サプライエア
ＳＰ  設定値
ｄＴ  温度偏差
ｄＤ  露点偏差
【図２】
2016169889.tif 000003
【図３】
2016169889.tif 000004
【図４】
2016169889.tif 000005
【図５】
2016169889.tif 000006
【図１】
2016169889.tif 000007
【図６】
2016169889.tif 000008